(57)【要約】【課題】  転送先を設定する際に、転送先の宛先情報をアドレス帳から選択して設定しているため、転送先を登録する一連の操作の中で宛先を新規に登録することができなかった。【解決手段】  画像データの転送先を設定する際に、宛先情報を入力する入力画面を介して転送先を指定するか、アドレス帳を介して転送先を指定することができ、宛先情報を入力する入力画面を介した転送先の設定が指示されると、その入力画面を介して入力された宛先情報に基づく接続確認を行い、その接続確認がなされると、その入力画面を介して入力された宛先情報を転送先として設定登録する。【選択図】  図３
2015186152.tif 000002
【特許請求の範囲】
【請求項１】
画像データの転送先を設定する際に、宛先情報を入力する入力画面を介して前記転送先を指定する宛先登録手段と、
画像データの転送先を設定する際に、アドレス帳を介して前記転送先を指定する転送先指定手段と、
前記宛先登録手段による前記転送先の設定が指示されると、前記入力画面を介して入力された宛先情報に基づく接続確認を行う確認手段と、
前記確認手段による接続確認がなされると、前記入力画面を介して入力された前記宛先情報を前記転送先として設定するように制御する制御手段と、
を有することを特徴とする画像通信装置。
【請求項２】
前記入力画面は、前記転送先との通信プロトコルを定めるエリアを有することを特徴とする請求項１に記載の画像通信装置。
【請求項３】
前記通信プロトコルが電子メール或いはファクシミリの場合は、前記入力画面は、メールアドレス、或いはファクシミリ番号の入力エリアを有することを特徴とする請求項２に記載の画像通信装置。
【請求項４】
前記通信プロトコルがＦＴＰ，ＳＭＢ，ＷｅｂＤＡＶの場合は、前記入力画面は、少なくともホスト名、ユーザ名、パスワードの入力エリアを有することを特徴とする請求項２に記載の画像通信装置。
【請求項５】
前記通信プロトコルがＦＴＰ，ＳＭＢ，ＷｅｂＤＡＶの場合、前記確認手段は、前記入力画面を介して入力された宛先情報に基づいて、前記宛先情報に対応するホストの認証を行い、認証に成功した場合は接続確認ができたと確認することを特徴とする請求項４に記載の画像通信装置。
【請求項６】
前記通信プロトコルが電子メール或いはファクシミリの場合は、前記確認手段は、前記入力画面を介して入力された宛先情報に画像データを送信し、当該画像データが受信されたかどうかにより接続確認を行うことを特徴とする請求項３に記載の画像通信装置。
【請求項７】
前記入力画面は、当該入力画面を介して入力された宛先情報を前記転送先として登録するように指示する指示手段を有し、前記制御手段は、前記確認手段による接続確認がなされるまで前記指示手段による指示を無効化することを特徴とする請求項１乃至６のいずれか１項に記載の画像通信装置。
【請求項８】
画像データの送信先を指定する指定手段と、
前記指定手段により指定された送信先を前記アドレス帳に登録する登録手段と、を更に有することを特徴とする請求項１乃至７のいずれか１項に記載の画像通信装置。
【請求項９】
画像通信装置の制御方法であって、
画像データの転送先を設定する際に、宛先情報を入力する入力画面を介して前記転送先を指定する宛先登録工程と、
画像データの転送先を設定する際に、アドレス帳を介して前記転送先を指定する転送先指定工程と、
前記宛先登録工程で前記転送先の設定が指示されると、前記入力画面を介して入力された宛先情報に基づく接続確認を行う確認工程と、
前記確認工程による接続確認がなされると、前記入力画面を介して入力された前記宛先情報を前記転送先として設定するように制御する制御工程と、
を有することを特徴とする画像通信装置の制御方法。
【請求項１０】
コンピュータを、請求項１乃至８のいずれか１項に記載の画像通信装置として機能させるためのプログラム。
【発明の詳細な説明】
【技術分野】
【０００１】
本発明は、画像通信装置とその制御方法、及びプログラムに関する。
【背景技術】
【０００２】
画像通信装置が受信した画像データ等を、その画像通信装置に設定された転送設定に基づいて、外部機器に転送する転送技術がある。この転送設定には、転送先となる宛先情報が含まれており、その宛先情報は画像通信装置のアドレス帳や、外部機器に保持されるアドレス帳に含まれる宛先を参照していた。更にこの転送設定に含まれる宛先情報を参照することができなかった場合には、その転送設定を無効化する技術がある。しかし参照できなかった宛先情報が外部機器に保持されていた宛先であり、参照できなかった原因が、その外部機器との一時的な通信エラーに起因している場合は、時間の経過により宛先情報を取得できるようになる可能性がある。従って、一時的な通信エラーで転送設定を無効化してしまうと、利便性の低下を招くという課題があった。
【０００３】
この課題に対して、特許文献１には、外部機器のアドレス帳から宛先情報を取得できなかった場合に、取得できなかった原因が一時的な通信エラーによるものであれば、転送設定を無効化しない技術が記載されている。
【先行技術文献】
【特許文献】
【０００４】
【特許文献１】特開２０１２−７０３４２号公報
【発明の概要】
【発明が解決しようとする課題】
【０００５】
しかしながら上記従来技術では、転送設定を登録する際に、転送先の宛先情報をアドレス帳から選択して設定しており、転送設定を登録する一連の操作の中で宛先を新規に登録することができないため、利便性の低下を招くという課題があった。
【０００６】
受信した画像データの転送は、画像通信装置が画像データを受信した時に画像通信装置が自動で実行するために、画像通信装置の利用者がリアルタイムで転送結果を把握することができない。これは、登録する転送先の宛先情報には入力ミスなどがないことが好ましいため、前述のように転送先の宛先情報を送信実績のあるアドレス帳から選択して設定する構成となっているためである。
【０００７】
また上記従来技術では、転送先の宛先情報を取得できなかった理由に基づいて、転送設定を無効化するかどうかを判定している。このため、入力ミスなどにより、転送設定に含まれる転送先の宛先情報として、画像データを送信できない宛先情報が登録されていた場合には、その転送設定を無効化することができなかった。
【０００８】
本発明の目的は、上記従来技術の問題点を解決することにある。
【０００９】
本発明の特徴は、転送先を設定する際に、転送先の宛先情報を入力画面を介して入力した、確実に接続できる宛先情報で設定できるようにした技術を提供することにある。
【課題を解決するための手段】
【００１０】
上記目的を達成するために本発明の一態様に係る画像通信装置は以下のような構成を備える。即ち、
画像データの転送先を設定する際に、宛先情報を入力する入力画面を介して前記転送先を指定する宛先登録手段と、
画像データの転送先を設定する際に、アドレス帳を介して前記転送先を指定する転送先指定手段と、
前記宛先登録手段による前記転送先の設定が指示されると、前記入力画面を介して入力された宛先情報に基づく接続確認を行う確認手段と、
前記確認手段による接続確認がなされると、前記入力画面を介して入力された前記宛先情報を前記転送先として設定するように制御する制御手段と、を有することを特徴とする。
【発明の効果】
【００１１】
本発明によれば、転送先を設定する処理の中で新規に宛先を登録しても、確実に送信できる宛先情報を転送先として設定登録できるという効果がある。
【００１２】
本発明のその他の特徴及び利点は、添付図面を参照とした以下の説明により明らかになるであろう。なお、添付図面においては、同じ若しくは同様の構成には、同じ参照番号を付す。
【図面の簡単な説明】
【００１３】
添付図面は明細書に含まれ、その一部を構成し、本発明の実施の形態を示し、その記述と共に本発明の原理を説明するために用いられる。
【図１】本発明の実施形態に係る画像通信装置のハードウェア構成を説明するブロック図。
【図２】本実施形態に係る画像通信装置を含む通信システムの構成例を示す図。
【図３】実施形態に係る画像通信装置における転送設定、ファイル送信時のアドレス帳への登録処理を説明するフローチャート。
【図４】画像通信装置の入力部に表示される初期画面の一例を示す図初期画面の一例を示した図（Ａ）と、ファイル送信画面の一例を示す図（Ｂ）。
【図５Ａ】、
【図５Ｂ】図３のＳ３０３の転送設定の登録処理を説明するフローチャート。
【図６】実施形態に係る転送設定画面の一例を示す図（Ａ）と、実施形態に係る宛先入力画面の一例を示す図（Ｂ）。
【図７】ＳＭＢにおける宛先入力画面の一例を示す図（Ａ）と、電子メールでの宛先入力画面の一例を示す図（Ｂ）。
【図８】問い合わせ画面の一例を示す図（Ａ）と、アドレス帳画面の一例を示す図（Ｂ）。
【図９】図３のＳ３０７のアドレス帳への宛先登録処理を説明するフローチャート。
【発明を実施するための形態】
【００１４】
以下、添付図面を参照して本発明の実施形態を詳しく説明する。尚、以下の実施形態は特許請求の範囲に係る本発明を限定するものでなく、また本実施形態で説明されている特徴の組み合わせの全てが本発明の解決手段に必須のものとは限らない。
【００１５】
図１は、本発明の実施形態に係る画像通信装置１０１のハードウェア構成を説明するブロック図である。
【００１６】
この画像通信装置１０１は、ネットワーク１０２に接続されており、このネットワーク１０２を介して他の外部機器と通信可能である。ＣＰＵ１１１は、この画像通信装置１０１を制御しており、ＣＰＵ１１１はハードディスクドライブ（ＨＤＤ）１１３に格納されたプログラムをＲＡＭ１１２に展開してそのプログラムを実行することにより、この画像通信装置１０１の動作を制御している。ＲＡＭ１１２は、ＣＰＵ１１１が実行するプログラムを格納するとともに、ＣＰＵ１１１にワークエリアを提供している。ＨＤＤ１１３は、ＣＰＵ１１１により実行されるプログラムや各種設定、及び画像ファイル等を格納している。入力部１１４は、ユーザがＧＵＩ（グラフィックユーザインターフェース）を介して様々な設定を行うのに使用される。通信部１１６は、ネットワーク１０２を介して外部機器との通信を制御する。１１８は、これら各部とＣＰＵ１１１とを接続するメインバスである。
【００１７】
尚、本実施形態では特に断らない限り、画像通信装置１０１ではＣＰＵ１１１１がメインバス１１８を介してＲＡＭ１１２、ＨＤＤ１１３、入力部１１４、通信部１１６を制御して、本実施形態に係る処理を実施する。またＨＤＤ１１３には、一般的なファイル送信機能で用いられる宛先情報が格納されたアドレス帳と、画像通信装置１０１が通信部１１６を介して画像データを受信したときに、その画像データを転送する宛先設定（以下、転送設定）が登録されている。また入力部１１４はタッチパネル機能を備えた表示部やハードキー等を備えている。
【００１８】
図２は、本実施形態に係る画像通信装置１０１を含む通信システムの構成例を示す図である。
【００１９】
この通信システムでは、実施形態に係る画像通信装置１０１は、ネットワーク１０２を介して電子機器２０３、インターネットファクシミリ装置２０４，２０５に接続されている。
【００２０】
図３は、実施形態に係る画像通信装置１０１における転送設定、ファイル送信時のアドレス帳への登録処理を説明するフローチャートである。このフローチャートで示す処理を実行するためのプログラムはＨＤＤ１１３にインストールされており、このプログラムは実行時にＲＡＭ１１２に展開されＣＰＵ１１１の制御の下に実行されて、このフローチャートで示す処理が実行される。
【００２１】
この処理は、画像通信装置１０１の電源がオンされることにより開始される。まずＳ３０１で、図４（Ａ）に一例として示されるような画像通信装置１０１の初期画面を入力部１１４の表示部に表示してＳ３０２に進む。尚、この表示部はタッチパネル機能を有しても良い。
【００２２】
図４（Ａ）は、画像通信装置１０１の入力部１１４に表示される初期画面の一例を示す図である。
【００２３】
この初期画面には、転送設定の開始を指示する転送設定ボタン４０２と、ファイル送信機能を呼び出すファイル送信ボタン４０３が表示されている。
【００２４】
次にＳ３０２に進みＣＰＵ１１１は、図４（Ａ）の初期画面で転送設定ボタン４０２が押下されたかどうかを判定する。転送設定ボタン４０２が押下されたと判定するとＳ３０３に進みＣＰＵ１１１は、図５Ａ，５Ｂを参照して後述する転送設定の登録処理を実行してＳ３０１に進む。
【００２５】
一方、Ｓ３０２で転送設定ボタン４０２が押下されないと判定するとＳ３０４に進みＣＰＵ１１１は、図４（Ａ）の初期画面でファイル送信ボタン４０３が押下されたかどうか判定する。ここでファイル送信ボタン４０３が押下されていないと判定するとＳ３０１に戻る。Ｓ３０４でファイル送信ボタン４０３が押下されたと判定するとＳ３０５に進みＣＰＵ１１１は、ファイル送信機能を設定する、例えば図４（Ｂ）に示すようなファイル送信機能の操作画面を表示してＳ３０６に進む。
【００２６】
図４（Ｂ）は、画像通信装置１０１の入力部１１４に表示されるファイル送信画面の一例を示す図である。
【００２７】
このファイル送信画面には、アドレス帳へ宛先情報を登録する登録ボタン４１０と、送信先を設定する送信宛先の設定ボタン４１１が表示されている。
【００２８】
Ｓ３０６でＣＰＵ１１１は、アドレス帳へ登録する登録ボタン４１０が押下されたかどうかを判定し、登録ボタン４１０が押下されていないときはＳ３０５に進むが、登録ボタン４１０が押下された場合はＳ３０７に進む。Ｓ３０７でＣＰＵ１１１は、図９のフローチャートを参照して後述するアドレス帳への宛先登録処理を実行し、Ｓ３０７の処理が終了するとＳ３０１に戻る。
【００２９】
次に図３のＳ３０３の転送設定の登録処理について図５Ａ，図５Ｂのフローチャートを参照して説明する。
【００３０】
図５Ａ、図５Ｂは、図３のＳ３０３の転送設定の登録処理を説明するフローチャートである。
【００３１】
先ず図５ＡのＳ５０１でＣＰＵ１１１は、例えば図６（Ａ）に示すような転送設定画面を表示する。
【００３２】
図６（Ａ）は、実施形態に係る転送設定画面の一例を示す図である。
【００３３】
この画面には、転送設定からの宛先登録ボタン６０１と、アドレス帳からの転送先指定ボタン５０２が表示されている。
【００３４】
次にＳ５０２に進みＣＰＵ１１１は、図６（Ａ）の画面で、宛先登録ボタン６０１が押下されたかどうかを判定する。宛先登録ボタン６０１が押下されるとＳ５０３に進み、例えば図６（Ｂ）に示すような登録する宛先の入力画面を表示する。
【００３５】
図６（Ｂ）は、実施形態に係るＦＡＸ送信の場合の宛先入力画面の一例を示す図である。
【００３６】
図６（Ｂ）において、登録する宛先の入力画面のプロトコル選択欄６１０では、登録する宛先に送信する際の通信プロトコルを選択することができる。ここではＦＴＰ，ＳＭＢ，ＷｅｂＤＡＶ等のファイル送信機能と、ＦＡＸ、インターネットＦＡＸ，電子メールのいずれかを選択することができる。図６（Ｂ）は、プロトコルとしてＦＡＸを指定した入力画面の一例を示している。入力エリア６１１には、ＦＡＸに対応してファクシミリ番号が入力される。接続確認ボタン６１２は、この画面で入力された宛先に対して画像データの送信が可能かどうかを確認するように指示するボタンである。宛先登録ボタン６１３は、この画面で入力された宛先を転送先として登録するためのボタンである。キャンセルボタン６１４は、この画面での入力をキャンセルするボタンである。
【００３７】
ＦＴＰ，ＳＭＢ，ＷｅｂＤＡＶといったファイル送信の場合は図７（Ａ）に示す宛先入力画面が表示され、電子メールの場合は、図７（Ｂ）に示すような宛先入力画面が表示される。
【００３８】
図７（Ａ）の宛先入力画面では、プロトコル選択欄６１０、ホスト名７０２、ディレクトリ７０３、ユーザ名７０４、パスワード７０５の入力欄がある。ここでも図６（Ｂ）と同様に接続確認ボタン６１２、宛先登録ボタン６１３、キャンセルボタン６１４が設けられている。
【００３９】
図７（Ｂ）の宛先入力画面では、プロトコル選択欄６１０では電子メールが選択され、メールアドレスの入力欄７１１にメールアドレスが入力される。
【００４０】
次にＳ５０４に進みＣＰＵ１１１は、宛先入力画面の宛先登録ボタン６１３を無効化する。これは、ここで入力した宛先が、この時点では登録要件を備えた正しい宛先であるかどうか不明であるため、一時的に登録できないようにするためである。次にＳ５０５に進みＣＰＵ１１１は、宛先の必須項目が入力されたかを判定する。これは例えばＦＡＸの場合はＦＡＸ番号、電子メールの場合はメールアドレスが入力されたかどうか、またＳＭＢの場合は、図７（Ａ）に示す項目が全て入力されたかどうかを判定するものである。
【００４１】
ここで必須項目の全てが入力されていないと判定した場合はＳ５０４に戻るが、入力されていると判定すると５０６に進む。Ｓ５０６でＣＰＵ１１１は、接続確認ボタン６１２が押下されたかどうか判定する。接続確認ボタン６１２が押下されていないときはＳ５０４に戻るが、接続確認ボタン６１２が押下されて、接続確認機能を呼び出す指示が行われていると判定するとＳ５０７に進む。
【００４２】
Ｓ５０７でＣＰＵ１１１は、プロトコル選択欄６１０に入力された宛先のプロトコルを確認する。ここでプロトコルがＦＴＰ，ＳＭＢ，ＷｅｂＤＡＶの何れかであると判定するとＳ５０８に進みＣＰＵ１１１は、図７（Ａ）の画面のユーザ名７０４、パスワード７０５に入力された情報を用いて、ホスト名７０２に入力されたホストコンピュータの認証を試みる。そしてＳ５０９に進みＣＰＵ１１１は、認証に成功したかどうかを判定し、認証に成功した場合はＳ５１２へ進むが、認証に失敗した場合はＳ５１０へ進み、入力された宛先に接続できなかった旨を示す警告表示を行う。そしてＳ５１１に進みＣＰＵ１１１は、図７（Ａ）の画面でキャンセルボタン６１４が押下されて、宛先の登録をキャンセルする指示が行われたかどうかを判定する。キャンセルボタン６１４が押下されないときはＳ５０３に戻って前述の処理を実行するが、キャンセルボタン６１４が押下されると、この処理を終了する。
【００４３】
一方、Ｓ５０９でＣＰＵ１１１が認証に成功したと判定するとＳ５１２に進み、宛先入力画面の宛先登録ボタン６１３を有効にして押下できるようにする。そしてＳ５１３に進みＣＰＵ１１１は、宛先登録ボタン６１３が押下されたかどうかを判定し、押下されたときはＳ５１４に進み、その入力された宛先をＨＤＤ１１３に構成されているアドレス帳に登録する。そしてＳ５１５に進みＣＰＵ１１１は、その登録した宛先をＨＤＤ１１３上に記録される転送設定に登録して、この処理を終了する。またＳ５１３で宛先登録ボタン６１３が押下されないときはＳ５１６に進み、ＣＰＵ１１１はキャンセルボタン６１４が押下されたかどうか判定する。ここでキャンセルボタン６１４が押下されると、この処理を終了し、キャンセルボタン６１４が押下されないときはＳ５１２に進む。
【００４４】
このようにして、宛先入力画面で、プロトコルがＦＴＰ，ＳＭＢ，ＷｅｂＤＡＶの宛先が入力された後、その宛先の認証に成功した場合に、その宛先を登録できるようにしているため、送信できない宛先を転送先として登録されることがなくなる。
【００４５】
Ｓ５０７で確認したプロトコルがＦＴＰ、ＳＭＢ、ＷｅｂＤＡＶ以外であった場合はＳ５１７（図５Ｂ）に進みＣＰＵ１１１は、入力された宛先に対して接続確認のための送信であることを示す文言を記載した画像データ（テストページ）を送信する。この送信後Ｓ５１８に進みＣＰＵ１１１は、送信した画像データを利用者の意図通りに受信することができたかを問い合わせ画面を表示する。
【００４６】
図８（Ａ）は、この問い合わせ画面の一例を示す図である。
【００４７】
図８（Ａ）において、８０１は「正常受信を確認できたかどうか」を尋ねるメッセージであり、「確認しました」ボタン８０２は、ユーザが正常な受信を確認できた場合に押下される。「確認できませんでした」ボタン８０３は、ユーザが正常な受信を確認できなかった場合に押下される。
【００４８】
次にＳ５１９に進みＣＰＵ１１１は、ユーザが「確認しました」ボタン８０２を押下したかどうかを判定し、「確認しました」ボタン８０２が押下されたと判定したときはＳ５１２（図５Ａ）に進んで、前述の処理を実行する。一方、Ｓ５１９で「確認しました」ボタン８０２が押下されないと判定したときはＳ５２０に進みＣＰＵ１１１は、「確認できませんでした」ボタン８０３が押下されたかどうかを判定する。「確認できませんでした」ボタン８０３が押下されていなかった場合にはＳ５１８へ戻るが、「確認できませんでした」ボタン８０３が押下された場合はＳ５２１に進む。Ｓ５２１で例えば図６（Ｂ）或いは図７（Ｂ）の宛先入力画面を表示し、キャンセルボタン６１４が押下されたかどうかを判定し、キャンセルボタン６１４が押下されると、この処理を終了する。キャンセルボタン６１４が押下されないときはＳ５０３に進む。
【００４９】
また図５ＡのＳ５０２でＣＰＵ１１１は、宛先登録ボタン６０１が押下されていないと判定するとＳ５２２（図５Ｂ）に進む。Ｓ５２２でＣＰＵ１１１は、図６（Ａ）の「アドレス帳からの転送先指定」ボタン６０２が押下されたかどうかを判定する。このアドレス帳からの転送先指定」ボタン６０２が押下されないときはＳ５０１（図５Ａ）に進むが、「アドレス帳からの転送先指定」ボタン６０２が押下されるとＳ５２３に進む。Ｓ５２３でＣＰＵ１１１は、例えば図８（Ｂ）に示すような、アドレス帳画面を表示する。
【００５０】
図８（Ｂ）は、アドレス帳画面の一例を示す図である。
【００５１】
ここで８１０は、図２の通信システムに含まれる電子機器２０３、インターネットファクシミリ装置２０４、インターネットファクシミリ装置２０５のいずれかを宛先として選択する宛先選択エリアである。「宛先を登録する」ボタン８１１は、宛先選択エリア８１０で選択された宛先を転送先として登録するように指示するボタンである。キャンセルボタン８１２は、この画面での設定をキャンセルするボタンである。
【００５２】
Ｓ５２３に続いてＳ５２４に進みＣＰＵ１１１は、図８（Ｂ）の画面で宛先が選択されたかどうかを判定する。宛先が選択されていなかった場合はＳ５２７に進みキャンセルボタン８１２が押下されたかどうかを判定する。Ｓ５２７でキャンセルボタン８１２が押下されたときは、この処理を終了するが、キャンセルボタン８１２が押下されないときはＳ５２３に進んで、アドレス帳画面の表示を行う。
【００５３】
Ｓ５２４で宛先が選択されているとＳ５２５に進みＣＰＵ１１１は、「宛先を登録する」ボタン８１１が押下されたかどうかを判定する。「宛先を登録する」ボタン８１１が押下されたと判定するとＳ５２６に進みＣＰＵ１１１は、選択された宛先を転送宛先に設定するして、この処理を終了する。またＳ５２５で「宛先を登録する」ボタン８１１が押下されていないときはＳ５２７に進む。
【００５４】
ここでは、アドレス帳から転送先の宛先を登録するときは、アドレス帳には正しい宛先が登録されていると判断して、接続確認を行うことなく、転送先となる宛先を登録している。
【００５５】
図９は、図３のＳ３０７のアドレス帳への宛先登録処理を説明するフローチャートである。
【００５６】
まずＳ９０１でＣＰＵ１１１は、例えば図６（Ｂ）や図７に一例を示すような宛先の入力画面を入力部１１４の表示部に表示する。次にＳ９０２に進みＣＰＵ１１１は、宛先登録ボタン６１３を無効化して押下できないようにする。次にＳ９０３に進みＣＰＵ１１１は、登録する宛先の必須項目が全て入力されたかどうかを判定し、入力されていないときはＳ９０１に戻るが、入力されていると判定するとＳ９０４に進む。Ｓ９０４でＣＰＵ１１１は、Ｓ９０２で無効化した宛先登録ボタン６１３を有効にしてＳ９０５に進む。Ｓ９０５でＣＰＵ１１１は、キャンセルボタン６１４が押下されたかどうかを判定し、キャンセルボタン６１４が押下されるとこの処理を終了する。Ｓ９０５でキャンセルボタン６１４が押下されていないときはＳ９０６に進みＣＰＵ１１１は、宛先入力画面の宛先登録ボタン６１３が押下されて、宛先の登録を指示する入力が行われたかどうかを判定する。９０６で宛先登録ボタン６１３が押下されるとＳ９０７に進みＣＰＵ１１１は、宛先入力画面で入力された宛先をＨＤＤ１１３のアドレス帳に登録して、この処理を終了する。
【００５７】
一方、Ｓ９０６で宛先登録ボタン６１３が押下されないときはＳ９０８に進みＣＰＵ１１１は、接続確認ボタン６１２が押下されたかどうか判定する。このボタン６１２が押下されないときはＳ９０６に進むが、接続確認ボタン６１２が押下されるとＳ９０９に進む。Ｓ９０９でＣＰＵ１１１は、図５ＡのＳ５０７〜Ｓ５０９と同様に、入力された宛先のプロトコルがＦＴＰ，ＳＭＢ，ＷｅｂＤＡＶの何れかであるかを判定する。ＦＴＰ，ＳＭＢ，ＷｅｂＤＡＶの何れかであればＳ９１０に進みＣＰＵ１１１は、その入力された宛先に対して認証を試みる。そしてＳ９１１でＣＰＵ１１１は、その認証に成功したかどうかを判定し、認証に成功していればＳ９１２に進んで、その宛先に送信可能である旨を入力部１１４に表示してＳ９０６に進む。一方、Ｓ９１１で認証に失敗したと判定するとＳ９１３に進みＣＰＵ１１１は、その宛先に送信不能である旨を入力部１１４に表示してＳ９０６に進む。またＳ９０９で入力された宛先のプロトコルがＦＴＰ，ＳＭＢ，ＷｅｂＤＡＶの何れかでもないと判定したときはＳ９１４に進みＣＰＵ１１１は、入力された宛先に対してテストページを送信してＳ９０５に進む。そして、図９のフローチャートでは省略しているが、図５ＢのＳ５１８〜Ｓ５２０と同様にして、ユーザは、正しく送信されたかどうかを確認して、その宛先をアドレス帳に登録するかどうかを判断できる。
【００５８】
このように本実施形態によれば、アドレス帳に宛先を登録する際、宛先の入力画面から入力した宛先との接続が可能かどうかを確認した上で、その宛先をアドレス帳に登録するかどうかを判断できる。また宛先のプロトコルがＦＴＰ，ＳＭＢ，ＷｅｂＤＡＶの場合は、ユーザは、宛先との認証に成功したかどうかを確認した上で、その宛先をアドレス帳に登録するかどうかを判断できる。
【００５９】
（その他の実施形態）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行する処理である。
【００６０】
本発明は上記実施の形態に制限されるものではなく、本発明の精神及び範囲から離脱することなく、様々な変更及び変形が可能である。従って、本発明の範囲を公にするために、以下の請求項を添付する。
【符号の説明】
【００６１】
１１１…ＣＰＵ、１１２…ＲＡＭ、１１４…入力部、１１６…通信部、６１２…接続確認ボタン、６１３…宛先登録ボタン
【図１】
2015186152.tif 000003
【図２】
2015186152.tif 000004
【図３】
2015186152.tif 000005
【図４】
2015186152.tif 000006
【図５Ａ】
2015186152.tif 000007
【図５Ｂ】
2015186152.tif 000008
【図６】
2015186152.tif 000009
【図７】
2015186152.tif 000010
【図８】
2015186152.tif 000011
【図９】
2015186152.tif 000012